(57)【要約】【課題】  ファンフレームの線出し構造とエアガイド装置を接合して、スムーズな風をうける面を作り、風の遮りを減少し、ファンの効能を高めるファンフレームを提供する。【解決手段】  開孔を有するケース、前記ケースの中に設置され、前記回転翼を載せるモーターベース、前記ケースと前記モーターベースの間に設置される少なくとも一つのエアガイド装置、および前記ファンの電源線を固定し、前記電源線を前記ケースから出す電源線出し構造を含み、前記電源線出し構造は、その中の一つのエアガイド装置と接合する。【選択図】  図２Ｂ
2006066866.tif 000002
【特許請求の範囲】
【請求項１】
開孔を有するケース、
前記ケースの中に設置され、前記回転翼を載せるモーターベース、
前記ケースと前記モーターベースの間に設置される少なくとも一つのエアガイド装置、および
前記ファンの電源線を固定し、前記電源線を前記ケースから出す電源線出し構造を含み、
前記電源線出し構造は、その中の一つのエアガイド装置と接合してなるファンフレーム。
【請求項２】
前記電源線出し構造は導線溝を有し、前記導線溝の開口は前記ケースの外側に向き、前記電源線は前記導線溝の中に入る請求項１に記載のファンフレーム。
【請求項３】
前記開孔の二端は前記ケースの上にそれぞれ風入口と風出口を形成し、前記エアガイド装置は前記風出口に設置され、且つ、前記導線溝の開口方向は前記風出口に向く請求項２に記載のファンフレーム。
【請求項４】
前記ケースの上は更に孔を設置し、前記導線溝内の電源線は前記孔に通すことによって前記ケースの外に出す請求項２に記載のファンフレーム。
【請求項５】
前記導線溝の一端は前記モーターベースに接続され、もう一端は前記ケースの外に露出し、前記電源線を前記導線溝によって固定し、前記ケースの外に出させ、且つ、前記ケースの外に出す請求項２に記載のファンフレーム。
【請求項６】
前記導線溝の上には更に制限部が設置され、前記導線溝内の電源線が脱落するのを防ぐ請求項５に記載のファンフレーム。
【請求項７】
前記電源線出し構造は穿通孔を有し、前記電源線は前記穿通孔が有する空間の中に入り、前記ケースの外に出す請求項１に記載のファンフレーム。
【請求項８】
前記電源線出し構造に接合した前記エアガイド装置の幅は、その他の前記電源線出し構造に接合していない前記エアガイド装置の幅と異なる請求項１に記載のファンフレーム。
【請求項９】
前記エアガイド装置は静翼または曲がったリブを備える請求項１に記載のファンフレーム。
【請求項１０】
前記ファンは軸流式ファンである請求項１に記載のファンフレーム。
【請求項１１】
回転翼、および
フレームを含むファンであって、
開孔を有するケース、
前記ケースの中に設置され、前記回転翼を載せるモーターベース、
前記ケースと前記モーターベースの間に設置される少なくとも一つのエアガイド装置、および
前記ファンの電源線を固定し、前記回転翼の電源線を前記ケースから出す電源線出し構造を含み、
前記電源線出し構造はその中の一つのエアガイド装置と接合してなるファン。
【発明の詳細な説明】
【技術分野】
【０００１】
本発明は、ファンフレームに関し、特に、線を出した時の風の遮りを減少することができるファンフレームに関するものである。
【背景技術】
【０００２】
化学技術の進歩に伴って、各種の電子製品がどんどん精密になり、サイズが小型化していく情勢下、どのように、良好な散熱を作り、電子装置を特定の温度範囲に維持し、正常に運転させることができるかが、実に一つの重要な課題である。散熱ファンは、各種の熱を発する電子製品の中で普遍的に用いられる。一般的には、散熱ファンのファンホイールは、フレームのケースの中で実装されてから、このケースをコンピュータのハウジング内の通風口に対応している位置に設置するか、または、散熱したい熱を発する装置の付近に設置してから、モーター駆動によってファンホイールを回転し、電子装置周囲の熱を通気口の外に散らせるかで、散熱の目的を達成している。
【０００３】
図１Ａと図１Ｂを併せ参照する。図１Ａは、従来の軸流式ファンのファンフレームの概略図を示しており、図１Ｂは、図１ＡのＡ−Ａ方向に沿って作られた従来の軸流式ファンの全体の断面図を示す。従来の軸流式ファン１０のファンフレーム１１の中は、モーター（図中未表示）と回転翼１７などの装置が搭載されている。図１Ｂでは、ファンフレーム１１は、一つの開孔を有するケースであり、ケース１１の開孔の二端は、それぞれ風入口１２と風出口１３を形成する。モーターベース１４は、ケース１１の中に設置され、風出口１３の所に位置する。モーターベース１４は、回転翼１７を載せており、且つ、複数の静翼１６がケース１１とモーターベース１４の間に設置されて、気流の流れの向きを導くことができる。
【０００４】
回転翼の電源線１５とケース１１の組立関係で言えば、従来のファンのほとんどは、電源線１５をまとめて束ねた後、静翼１６の側に沿って配置し、ケース１１を用いてその上に一つの留めテープ１８を増設し、束ねた後の電源線１５をこの留めテープ１８に通して、固定することができる。留めテープ１８の設置は、一般的に静翼１６がフレーム１１に接続している所の付近にある。
【０００５】
しかし、現在ある軸流ファン１０の線を出す設計は好ましくなく、よく、電源線１５が風出口の部分を横切ることから、出た風を妨げ、本来の風入口１２から入ってきたスムーズな気流が電源線１５に流れた時、電源線１５が静翼１６の側に配置されていることからスムーズでない風をうける面を作り、風を遮り、軸流式ファン１０の風圧、または風量を低下させる。大型ファンにおいては、その影響はさらに大きい。
【０００６】
図１Ｃはもう一つの軸流式ファンのフレームの概略図を示す。もう一つの従来の作り方は、複数の長方柱状のリブ１９を用いており、リブ１９をケース１１とモーターベース１４の間に設置して、モーターベース１４を支える。回転翼に接続した電源線１５は、リブ１９の背後に設置することができ、図１Ｂの留めテープ１８のようなスムーズでない、風をうける面を作って、風を遮る現象を招くのを避けることができる。しかし、単純なリブ１９の設計は、ユーザーの各種風圧、または風量の特性に対する要求を満足することができない。よって、どのようにファンの特性の要求に注意を払い、線が出る時に招く風の遮りを、より減少することができるかが、一つの研究の課題となる。
【発明の開示】
【発明が解決しようとする課題】
【０００７】
よって、上述の問題を解決するために、本発明は、ファンフレームの線出し構造とエアガイド装置を接合して、スムーズな風をうける面を作り、風の遮りを減少し、ファンの効能を高めるファンフレームを提供する。
【課題を解決するための手段】
【０００８】
本発明の目的に基づいて、本発明は、モーターベース、少なくとも一つのエアガイド装置と、電源線出し構造を含むファンフレームを提供する。ケースは、開孔を有し、モーターベースは、ケースの中に設置され、回転翼を載せる。エアガイド装置は、静翼または一つの曲がったリブを備え、且つ、エアガイド装置は、ケースとモーターベース間に設置される。電源線出し構造は、ファンの電源線を固定し、電源線をケースから出す。電源線出し構造は、その中の一つのエアガイド装置と接合する。電源線出し構造は、導線溝、または穿通孔を有し、導線溝の開口は、ケースの外側に向き、電源線が導線溝の中に入る。導線溝の一端は、モーターベースに接続し、もう一端は、ケースの外に露出し、電源線を導線溝によって固定し、ケースの外に出させる。導線溝の上は、更に制限部を設置し、導線溝内の電源線が脱落するのを防ぐ。または、ケースの上に更に一つの孔を設置し、電源線を前記孔に通すことによってケースの外に出す。また、電源線を電源線出し構造の穿通孔が有する空間の中に入れて、ケースの外に出すこともできる。
【０００９】
本発明の目的に基づいて、回転翼とフレームを含む軸流式のファンを提供する。フレームは、ケース、モーターベース、少なくとも一つのエアガイド装置と、電源線出し構造を含む。ケースは、開孔を有し、モーターベースは、ケースの中に設置され、回転翼を載せる。エアガイド装置は、静翼または一つの曲がったリブを備え、且つ、エアガイド装置は、ケースとモーターベース間に設置される。電源線出し構造は、ファンの電源線を固定し、電源線をケースから出す。電源線出し構造は、その中の一つのエアガイド装置と接合する。電源線出し構造は、導線溝、または穿通孔を有し、導線溝の開口は、ケースの外側に向き、電源線は、導線溝の中に入る。導線溝の一端は、モーターベースに接続し、もう一端は、ケースの外に露出し、電源線を導線溝によって固定し、ケースの外に出させる。導線溝の上は、更に制限部を設置し、導線溝内の電源線が脱落するのを防ぐ。または、ケースの上に更に一つの孔を設置し、電源線を穿通孔によってケースの外に出す。また、電源線を電源線出し構造の穿通孔が有する空間の中に入れて、ケースの外に出すこともできる。
【発明の効果】
【００１０】
本発明のファンフレームによれば、電源線出し溝とエアガイド装置を接合し、スムーズな風をうける面を作り、風の遮りを減少し、ファンの効能を高めることができる。
【発明を実施するための最良の形態】
【００１１】
本発明についての目的、特徴、長所が一層明確に理解されるよう、以下に実施形態を例示し、図面を参照にしながら、詳細に説明する。
【実施例】
【００１２】
図２Ａと図２Ｂを併せ参照する。図２Ａは、本発明の好ましい実施例に基づいた軸流式ファンのフレームの概略図を示し、図２Ｂは、図２ＡのＢ−Ｂ方向に沿って作られた軸流式ファンの全体の断面図を示す。図２Ａでは、本発明のファン２０のフレーム２１は、モーターベース２４、モーター（図中、未表示）と回転翼２７などの装置を含む。このファンは好ましくは、軸流式ファンからなり、大型の機械、サーボモーター、組立式ファン、またはその他の熱を発する電子装置に用い、散熱の働きをすることができる。
【００１３】
フレーム２１は、ケース、モーターベース２４、少なくとも一つのエアガイド装置２６と、電源線出し構造２８を含む。図２Ｂでは、フレーム２１は、一つの開孔を有するケースであり、ケース２１の開孔の二端は、それぞれ風入口２２と風出口２３を形成し、モーターベース２４は、ケース２１の中に設置されて、風出口２３の所に位置し、回転翼２７を載せる。
【００１４】
エアガイド装置２６は、ケース１１とモーターベース１４の間に設置される。本実施例では、エアガイド装置２６は、静翼であり、気流の流れの向きを導く功能を有し、好ましくは風出口２３の所に設置する。または、エアガイド装置２６は、一つの曲がったリブを備えることで、必要な風圧風量に合わせて異なる角度の設計を作り、スムーズな風をうける面を作ることができ、気流の流れの向きを導く功能も有する。
【００１５】
図２Ｂと図２Ｃを併せ参照する。図２Ｃは、図２ＢのＱ部分の拡大図を示している。電源線出し構造２８は、電源線２５を固定し、電源線２５をケース２１から導き出す。電源線出し構造２８は、その中の一つの静翼２６と接合する。電源線出し構造２８は、一つの導線溝３１を有し、且つ、導線溝３１の開口はケースの外側に向いており、電源線２５は、導線溝３１の中に入っている。導線溝３１が静翼２６の下に位置することから、電源線出し構造２８は、気流の流れの向きに直接当たることがないため、風入口２２から入ってきたスムーズな気流は、静翼２６のスムーズな風をうける面を通って流れ、静翼２６の導流作用によって、直接、風出口２３から流れ出る。また、電源線２５が導線溝３１の中に入っており、静翼２６の下に位置していることから、従来のまとめて束ねた電源線を静翼の側に配置した時に気流を妨げる欠点を改善することができる。
【００１６】
または、導線溝３１の一端をモーターベース２４に接続し、もう一端をケース２１の外に直接露出し、電源線２５を電源線出し構造２８によって固定した後、ケース２１の外に直接導き出す。また、図２Ａに示すように、導線溝３１の上に好ましくは、制限部２９（ｅ．ｇ．ロック、留めテープなど）を設置することができ、導線溝３１内の電源線２５が脱落するのを防ぐ。
【００１７】
または、導線溝３１の一端をモーターベース２４に接続し、もう一端をケース２１と直接接続する。更に、ケース２１の上に一つの開孔を設置することができ、電源線２５を開孔から通した後、直接、ケース２１の外に出すことができる。また、電源線を電源線出し構造の穿通孔が有する空間の中に入れ、ケースの外に出すこともできる。
【００１８】
電源線出し構造２８は、導線溝の方式で電源線をうける以外に、その他の方式で達成することもできる。例えば、その中の一つの静翼２６に穿通孔を作り、電源線２５を穿通孔が有する空間の中に入れ、ケース２１の外に出す。
【００１９】
上述のように、上述の好ましい実施例の中の軸流式ファンフレームは、各エアガイド装置の幅が元の軸流式ファンの風圧と風量の特性を弱くさせなければ、同じ、または異なってもよく、本発明に適する。ｅ．ｇ．電源線出し構造２８に接合した静翼２６の幅がその他の電源線出し構造２８に接合していない静翼２６より広い。
【００２０】
以上、本発明の好適な実施例を例示したが、これは本発明を限定するものではなく、本発明の精神及び範囲を逸脱しない限りにおいては、当業者であれば行い得る少々の変更や修飾を付加することは可能である。従って、本発明が保護を請求する範囲は、特許請求の範囲を基準とする。
【図面の簡単な説明】
【００２１】
【図１Ａ】従来の軸流式ファンのファンフレームの概略図を示している。
【図１Ｂ】図１ＡのＡ−Ａ方向に沿って作られた従来の軸流式ファンの全体の断面図を示している。
【図１Ｃ】もう一つの軸流式ファンのファンフレームの概略図を示している。
【図２Ａ】本発明の好ましい実施例に基づいた軸流式ファンのファンフレームの概略図を示している。
【図２Ｂ】図２ＡのＢ−Ｂ方向に沿って作られた軸流式ファンの全体の断面図を示している。
【図２Ｃ】図２ＢのＱ部分の拡大図を示している。
【符号の説明】
【００２２】
１０、２０  軸流式ファン
１１、２１  ファンフレーム
１２、２２  風入口
１３、２３  風出口
１４、２４  モーターベース
１５、２５  電源線
１６、２６  静翼
１７、２７  回転翼
１８  留めテープ
１９  リブ
２８  電源線出し構造
２９  制限部
３１  導線溝
【図１Ａ】
2006066866.tif 000003
【図１Ｂ】
2006066866.tif 000004
【図１Ｃ】
2006066866.tif 000005
【図２Ａ】
2006066866.tif 000006
【図２Ｂ】
2006066866.tif 000007
【図２Ｃ】
2006066866.tif 000008